(57)【要約】【課題】デジタルサイネージに対し同時に複数ユーザが、詳細コンテンツの取得を行えるようにし、しかも詳細コンテンツの取得を他ユーザに知られることなく行うことを可能とする。【解決手段】１つ以上のコンテンツを表示するデジタルサイネージ部２０００に対し、複数のクライアント部と通信できるようにし、ユーザはクライアント部１０００を用いてデジタルサイネージ部２０００のサイネージ表示部２００１に表示されている複数のコンテンツの中から任意のコンテンツを選択するだけで、デジタルサイネージ部２０００から任意のコンテンツを取得してクライアント部１０００にのみ表示させることができるようにした。【選択図】      図２
2014238718.tif 000002
【特許請求の範囲】
【請求項１】
１つ以上のコンテンツを表示する表示装置と、
前記表示装置に対し通信可能な複数の端末とを具備し、
前記複数の端末の各々は、
前記表示装置に表示された同一もしくは異なる複数のコンテンツのうちいずれかの選択を受け付ける選択入力手段と、
前記選択されたコンテンツを前記表示装置から取得し、この取得したコンテンツに応じた画面を表示する表示制御手段とを備えることを特徴とするコンテンツ表示制御システム。
【請求項２】
前記選択入力手段は、前記表示装置へのログインを行った端末に対し、前記表示装置に表示された同一もしくは異なるコンテンツのうちいずれかの選択を受け付けることを特徴とする請求項１記載のコンテンツ表示制御システム。
【請求項３】
前記表示装置は、端末識別情報を用いて端末を識別し、前記表示装置に端末を識別可能なカーソルを表示する手段を備えることを特徴とする請求項１記載のコンテンツ表示制御システム。
【請求項４】
前記カーソルを表示する手段は、色、形状、テクスチャ、動きの少なくとも１つにより識別可能なカーソルを表示することを特徴とする請求項３記載のコンテンツ表示制御システム。
【請求項５】
第１の装置が、前記第１の装置とは異なる第２の装置の画面上のカーソルを制御し、
前記第２の装置の画面上の前記カーソルの位置に対応する前記第２の装置の画面上に表示された画像中の情報に関連する情報を、前記第１の装置の画面上に表示することを特徴とするコンテンツ表示制御システム。
【請求項６】
前記第１の装置が受け付けた操作者の操作を契機として、前記第２の装置の画面上の前記カーソルの位置に対応する前記第２の装置の画面上に表示された画像中の情報に関連する情報を、前記第１の装置の画面上に表示することを特徴とする請求項５記載のコンテンツ表示制御システム。
【請求項７】
１つ以上のコンテンツを表示する表示装置と、前記表示装置に対し通信可能な複数の端末とを備えるコンテンツ表示制御システムで使用されるコンテンツ表示制御方法において、
前記複数の端末の各々が、前記表示装置に表示された同一もしくは異なる複数のコンテンツのうちいずれかの選択を受け付けるステップと、
前記複数の端末の各々が、前記選択されたコンテンツを前記表示装置から取得し、この取得したコンテンツに応じた画面を表示するステップとを備えることを特徴とするコンテンツ表示制御方法。
【請求項８】
第１の装置が、前記第１の装置とは異なる第２の装置の画面上のカーソルを制御するステップと、
前記第２の装置の画面上の前記カーソルの位置に対応する前記第２の装置の画面上に表示された画像中の情報に関連する情報を、前記第１の装置の画面上に表示するステップとを備えることを特徴とするコンテンツ表示制御方法。
【発明の詳細な説明】
【技術分野】
【０００１】
本発明は、例えばデジタルサイネージ等のコンテンツ表示制御システム及びコンテンツ表示制御方法に関する。
【背景技術】
【０００２】
観光案内、広告、エンターテイメント用途等で多くのデジタルサイネージが街頭に設置されている。これらの中には、画面がタッチパネルになっており、ユーザが操作を行えるものがある。
しかし、この方法には3点の問題がある。
１点目は、同時操作者が1人に制限されることである。タッチパネルは画面に直接触れて操作するため必然的にユーザはデジタルサイネージの前に立つことになる。こうなると、他のユーザは操作者が邪魔で、画面にタッチして操作を行うことも難しい。
【０００３】
また、ある人が操作中のサイネージを他の人が割り込んで操作するという行為はモラル・マナーの観点からも憚られる。
２点目は、操作者１人の都合で画面遷移が行われることである。操作者がデジタルサイネージの画面を画面Ａから画面Ｂに遷移させたとき、他のユーザは画面Ａを見ている途中だったかもしれないし、画面Ｂではなく画面Ｃに遷移させたかったかもしれない。
【０００４】
すべての詳細情報を最初から一画面に表示しておけば画面遷移は不要となるが、この場合は一画面内の情報が多すぎて、読みにくく分かりにくい画面になる虞がある。
３点目は、操作者のプライバシーが守られないことである。デジタルサイネージは大画面であることが多く、操作者が何を閲覧しているか他のユーザにも見えてしまう場合が多い。操作者が観光地や飲食店情報を閲覧していれば、その操作者がこれからどこに行くのか他のユーザに分かってしまうかもしれない。操作者が不動産情報を閲覧していれば、その操作者の資産レベルが他のユーザから想像できてしまうかもしれない。
【０００５】
関連技術として、特許文献１のように、１つの画面内容を各ユーザの手元端末で同時閲覧する方法がある。
【先行技術文献】
【特許文献】
【０００６】
【特許文献１】特許第2815928号公報
【発明の概要】
【発明が解決しようとする課題】
【０００７】
ただし、この方法は、共有している１つの静的な画面上で各ユーザが自分のポインタを動かすことができるだけであり、本発明が前提としているような画面遷移可能なデジタルサイネージには適用できない。
本発明の目的は、デジタルサイネージに対し同時に複数ユーザが、詳細コンテンツの取得を行えるようにし、しかも詳細コンテンツの取得を他ユーザに知られることなく行うことが可能なコンテンツ表示制御システム及びコンテンツ表示制御方法を提供することにある。
【課題を解決するための手段】
【０００８】
上記目的を達成するために本発明に係るコンテンツ表示制御システムは、１つ以上のコンテンツを表示する表示装置と、表示装置に対し通信可能な複数の端末とを具備し、複数の端末の各々は、表示装置に表示された同一もしくは異なる複数のコンテンツのうちいずれかの選択を受け付ける選択入力手段と、選択されたコンテンツを表示装置から取得し、この取得したコンテンツに応じた画面を表示する表示制御手段とを備えるようにしたものである。
【０００９】
このように構成すると、１つ以上のコンテンツを表示する表示装置に対し、複数の端末と通信可能となり、ユーザは端末を用いて表示装置に表示されている複数のコンテンツの中から任意のコンテンツを選択するだけで、表示装置から任意のコンテンツを取得して端末にのみ表示されることになる。したがって、表示装置に表示された概要情報の詳細情報をユーザ個別に表示させることができ、複数ユーザでの同時操作及び個人の閲覧情報を保護することができる。
【００１０】
また、本発明に係るコンテンツ表示制御システムの一観点は以下のような態様を備える。
第１の態様は、選択入力手段は、表示装置へのログインを行った端末に対し、表示装置に表示された同一もしくは異なるコンテンツのうちいずれかの選択を受け付ける。
【００１１】
このように構成すると、システムに登録された正当な端末のユーザに対し、表示装置に表示された概要情報の詳細情報を表示させることができる。
第２の態様は、表示装置は、端末識別情報を用いて端末を識別し、表示装置に端末を識別可能なカーソルを表示する手段を備える。
【００１２】
このように構成することで、端末のユーザに、表示装置におけるコンテンツの選択操作を視認させることができるようになる。また、表示装置上において、誰がどのコンテンツに興味を持っているか匿名性を保持しながら表示できる。さらに、表示装置上において、カーソルが集中しているコンテンツに対し、他のユーザの注目を集めることもできる。
【００１３】
第３の態様は、カーソルを表示する手段は、色、形状、テクスチャ、動きの少なくとも１つにより識別可能なカーソルを表示する。
このように構成すると、端末のユーザは、表示装置上の見やすい表示画面により、コンテンツの選択操作を視認できるようになる。
【００１４】
また、本発明に係るコンテンツ表示制御システムは、第１の装置が、第１の装置とは異なる第２の装置の画面上のカーソルを制御し、第２の装置の画面上のカーソルの位置に対応する第２の装置の画面上に表示された画像中の情報に関連する情報を、第１の装置の画面上に表示するようにしたものである。
【００１５】
このように構成すると、例えば手元の操作しやすい第１の装置を用いて第２の装置に表示されている任意のコンテンツへカーソルを移動させる操作を行うことができ、移動したカーソル位置に対応する関連情報を第１の装置に表示でき、使い勝手がよくなる。また、第１の装置が受け付けた操作者の操作を契機として、第２の装置の画面上のカーソルの位置に対応する第２の装置の画面上に表示された画像中の情報に関連する情報を、第１の装置の画面上に表示するように構成すれば、操作者が自身でカーソル位置にある関連情報が必要か否かを判断して指示することができ、これにより真に必要な関連情報のみを取得することが可能となる。
【発明の効果】
【００１６】
本発明によれば、デジタルサイネージに対し同時に複数ユーザが、詳細コンテンツの取得を行えるようにし、しかも詳細コンテンツの取得を他ユーザに知られることなく行うことが可能なコンテンツ表示制御システム及びコンテンツ表示制御方法を提供することができる。
【図面の簡単な説明】
【００１７】
【図１】本発明に関係するデジタルサイネージの画面の例を示す図。
【図２】本第１実施形態に係るコンテンツ表示システムの概略構成図。
【図３】本第１実施形態において、タッチパネル上にクラアント表示部及び操作部が表示される例を示す図。
【図４】本第１実施形態において、サイネージ表示部に表示されるコンテンツの例を示す図。
【図５】本第１実施形態において、デジタルサイネージ部のコンテンツＤＢに蓄積管理される詳細コンテンツの例を示す図。
【図６】本第２実施形態に係るコンテンツ表示システムの概略構成図。
【図７】本第２実施形態において、タッチパネル上にクラアント表示部及び操作部が表示される例を示す図。
【図８】本第２実施形態において、サイネージ表示部に表示されるコンテンツの例を示す図。
【図９】本第２実施形態において、ユーザ情報管理部に蓄積管理される１つのクライアントのカーソル色、カーソル位置を示す図。
【図１０】本第２実施形態において、クライアントごとに識別されたカーソルの表示例を示す図。
【図１１】本第２実施形態において、デジタルサイネージ部に表示されるカーソル色をクライアント部の操作部に表示させる例を示す図。
【図１２】本第２実施形態において、デジタルサイネージ部に表示されるコンテンツに複数のユーザが集中している様子を示す図。
【図１３】本第２実施形態において、ユーザ情報管理部に蓄積管理されるクライアントごとのカーソル色、カーソル位置を示す図。
【図１４】本第２実施形態において、クライアント部の操作でカーソルが移動した様子を示す図。
【図１５】本第２実施形態において、カーソルの移動に伴いユーザ情報管理部を更新する例を示す図。
【図１６】本第２実施形態において、５人のユーザが同時にカーソルを移動した様子を示す図。
【図１７】本第２実施形態において、５人のユーザが同時にカーソルを移動した場合のユーザ情報管理部を更新する例を示す図。
【図１８】本第２実施形態において、デジタルサイネージ部のコンテンツＤＢに蓄積管理される詳細コンテンツの例を示す図。
【発明を実施するための形態】
【００１８】
本発明に係る実施形態を説明するに先立ち、その動作原理について説明する。
本発明は、街頭に設置されているデジタルサイネージについて提案するものである。図１に示すように、概要画面Ｇ１から詳細画面Ｇ２に遷移するタイプが典型例である。図１では、ユーザは概要画面にて観光地Ａの部分をタッチして選択すると、観光地Ａの詳細を示す詳細画面に画面遷移する様子を示している。
【００１９】
上記の原理に基づき、以下に本発明の実施形態について説明する。
本発明は、（１）〜（６）のステップの順に説明していくものとする。
（１）ログインステップ
各ユーザの手元端末からデジタルサイネージへのログイン要求を行う。
（２）ユーザ識別情報生成ステップ
各ユーザのユーザ識別情報を生成する。
（３）ユーザポインタ表示ステップ
ユーザ識別情報に基づいて、各ユーザのユーザポインタをデジタルサイネージ画面上に表示する。
（４）ユーザ識別情報表示ステップ
ユーザ識別情報に基づいて、各ユーザが各自のユーザポインタを認識するための情報を各ユーザの手元端末に表示する。
（５）ポインタ操作ステップ
各ユーザの手元端末からデジタルサイネージ画面上の各ユーザのユーザポインタを操作する。
（６）画面遷移ステップ
ユーザポインタ操作に基づいて、遷移先の画面を各ユーザの手元端末に表示する。
（第１の実施形態）  
図２は、本第１実施形態に係るコンテンツ表示システムの概略構成図であり、クライアント部１０００とデジタルサイネージ部２０００からなる。
【００２０】
クライアント部１０００は、クライアント表示部１００１、操作部１００２、クライアント通信部１００３からなる。このうち、操作部１００２は、クライアント部１０００に対し種々の動作指示を入力するために使用するもので、デジタルサイネージ部２０００に接続される場合に、ログイン要求の入力、デジタルサイネージ部２０００に表示される複数のコンテンツのうちいずれか１つの選択指示の入力にも使用される。この選択指示の結果は、クライアント表示部１００１に表示される。
【００２１】
クライアント通信部１００３は、無線または有線の通信ネットワークを介してデジタルサイネージ部２０００との間で通信を行うものである。
本第１の実施形態では、クライアント部１０００はスマートフォンやタブレット等、各ユーザが保有しているモバイル端末を想定している。ただし、パソコン、携帯ゲーム機、その他の機器を用いても構わない。
【００２２】
本第１の実施形態では、クライアント部１０００はタッチパネルを具備しており、該タッチパネル上に、クライアント表示部１００１と操作部１００２が図３のように表示されているとする。
なお、特定のWi-Fiアクセスポイントに接続した状態でPC・スマートフォン等の機器上でウェブブラウザを起動すると、規定のWebページに自動的にリダイレクトされる市中技術がある。この市中技術を用いて、クライアント部１０００がウェブブラウザを起動した際に自動的にクライアント表示部１００１に図３の画面を表示することを想定している。
【００２３】
デジタルサイネージ部２０００は、サイネージ表示部２００１、コンテンツＤＢ（データベース）２００２、サイネージ通信部２００３からなる。コンテンツＤＢ２００２には、観光案内、広告、エンターテイメント用途等の種々のコンテンツが蓄積されている。これらコンテンツは、外部からの操作もしくはクライアント部１０００からの選択操作により、選択的にサイネージ表示部２００１に表示される。
【００２４】
本第１の実施形態では、サイネージ表示部２００１は大型ディスプレイであり、図４のようにコンテンツ１〜４を表示しているとする。
また、本第１の実施形態では、クライアント通信部１００３とサイネージ通信部２００３は無線ＬＡＮにて通信可能であるとする。ただし、通信方法はこれに限らず、例えば、Bluetooth（登録商標）、NFC、有線ＬＡＮ、その他の方法を用いても構わない。
【００２５】
（１) ログインステップ  
[S101]ユーザは、操作部１００２のログインボタンを押下する。
[S102]操作部１００２は、ログインボタンが押下されると、ログイン要求をクライアント通信部１００３に送信する。
[S103]クライアント通信部１００３は、操作部１００２からログイン要求を受信すると、通信ＩＤを生成する。
【００２６】
本第１の実施形態では、通信ＩＤはクライアント通信部１００３に規定されている通信用識別子であるとする。具体的にはＩＰアドレスを想定しており、ここでは「192.168.0.2」であるとする。ただし、通信ＩＤはこれに限らず、本システム内で複数のクライアント部が存在した場合に各クライアント部を一意に識別できればよく、ＭＡＣアドレスや、ユーザが何らかの方法で明示的に指定したＩＤでも構わない。また、クライアント通信部１００３とサイネージ通信部２００３がＨＴＴＰを用いて通信する場合は、通信にセッションＩＤが付与されるので、これを用いても構わない。
【００２７】
（２)ユーザ識別情報生成ステップ  
本第１の実施形態では、ユーザ識別情報生成ステップを行わない。
（３)ユーザポインタ表示ステップ  
本第１の実施形態では、ユーザポインタ表示ステップを行わない。
（４)ユーザ識別情報表示ステップ  
本第１の実施形態では、ユーザ識別情報表示ステップを行わない。
【００２８】
（５)ポインタ操作ステップ  
本第１の実施形態では、ポインタ操作ステップを行わない。
（６)画面遷移ステップ  
[S104]ユーザは、サイネージ表示部２００１に表示されている図４の内容を参考にして、コンテンツ１〜４の中で詳細を把握したいコンテンツを決定し、操作部１００２にて該当するコンテンツの選択ボタンを押下する（図３）。この場合、クライアント部１０００は、サイネージ表示部２００１に表示された同一もしくは異なる複数のコンテンツのうちいずれかの選択を受け付ける選択入力手段を有する。
【００２９】
[S105]操作部１００２は、コンテンツ選択ボタンが押下されると、該当するコンテンツ番号をクライアント通信部１００３に送信する。
[S106]クライアント通信部１００３は、コンテンツ番号を受信すると、コンテンツ番号とS103で生成した通信ＩＤを関連付けてサイネージ通信部２００３に送信する。
【００３０】
[S107]サイネージ通信部２００３は、コンテンツ番号と通信ＩＤを受信すると、図５の形式でコンテンツ番号と詳細コンテンツを格納するコンテンツＤＢ２００２に、問い合わせを行い、該コンテンツ番号に該当する詳細コンテンツを取得する。
本第１の実施形態では、詳細コンテンツはURLであるが、詳細コンテンツはテキスト、画像、映像、その他、どのようなコンテンツでも構わない。
【００３１】
[S108]サイネージ通信部２００３は、詳細コンテンツを取得すると、S107にて取得した通信IDで特定できるクライアント部１０００のクライアント通信部１００３に、詳細コンテンツを送信する。
[S109]クライアント通信部１００３は、詳細コンテンツを受信すると、クライアント表示部１００１に該詳細コンテンツを表示する（表示制御手段）。
【００３２】
本第１の実施形態では、詳細コンテンツはURLであるので、URLで指定されたコンテンツを取得してクライアント表示部１００１に表示する。
上記処理により、デジタルサイネージから同時に複数ユーザが、詳細コンテンツの取得（画面遷移）を行え、その画面遷移が他ユーザに知られることもない。
【００３３】
以上のように上記第１の実施形態では、１つ以上のコンテンツを表示するデジタルサイネージ部２０００に対し、複数のクライアント部と通信できるようにし、ユーザはクライアント部１０００を用いてデジタルサイネージ部２０００のサイネージ表示部２００１に表示されている複数のコンテンツの中から任意のコンテンツを選択するだけで、デジタルサイネージ部２０００から任意のコンテンツを取得してクライアント部１０００にのみ表示させることができる。
【００３４】
したがって、デジタルサイネージ部２０００に表示された概要情報の詳細情報をユーザ個別に表示させることができ、複数ユーザでの同時操作及び個人の閲覧情報を保護することができる。
また、上記第１の実施形態によれば、デジタルサイネージ部２０００へのログインを行ったクライアント部１０００に対し、デジタルサイネージ部２０００に表示された複数のコンテンツのうちいずれかの選択を受け付けるようにしているので、システムに登録された正当なクライアント部１０００のユーザに対し、デジタルサイネージ部２０００に表示された概要情報の詳細情報を表示させることができる。
【００３５】
（第２の実施形態）  
図６は、本第２実施形態に係るコンテンツ表示システムの概略構成図であり、クライアント部３０００とデジタルサイネージ部４０００からなる。クライアント部３０００は、クライアント表示部３００１、操作部３００２、クライアント通信部３００３からなる。このうち、操作部３００２は、クライアント部３０００に対し種々の動作指示を入力するために使用するもので、デジタルサイネージ部４０００に接続される場合に、ログイン要求の入力、デジタルサイネージ部４０００に表示される複数のコンテンツのうちいずれか１つの選択指示の入力にも使用される。この選択指示の結果は、クライアント表示部３００１に表示される。
【００３６】
クライアント通信部３００３は、無線または有線の通信ネットワークを介してデジタルサイネージ部４０００との間で通信を行うものである。
本第２の実施形態では、クライアント部３０００はスマートフォンやタブレット等、各ユーザが保有しているモバイル端末を想定している。ただし、パソコン、携帯ゲーム機、その他の機器を用いても構わない。
【００３７】
本第２の実施形態では、クライアント部３０００はタッチパネルを具備しており、該タッチパネル上に、クライアント表示部３００１と操作部３００２が図７のように表示されているとする。
ここでは、上移動ボタン、下移動ボタン、左移動ボタン、右移動ボタンを想定しているが、一定面積を持ったスワイプ入力用領域だけが用意されており、例えば該領域で上方向にスワイプ入力すると上移動ボタンと同じ挙動をする仕組みでも構わない。
【００３８】
また、方向は上下左右の４方向に限定する必要はなく、たとえば、上下左右に左上、左下、右下、右上を加えた８方向でも構わないし、他の粒度で方向を表現しても構わない。
デジタルサイネージ部４０００は、サイネージ表示部４００１、コンテンツＤＢ４００２、ユーザ情報管理部４００３、サイネージ通信部４００４からなる。コンテンツＤＢ４００２には、観光案内、広告、エンターテイメント用途等の種々のコンテンツが蓄積されている。これらコンテンツは、外部からの操作もしくはクライアント部３０００からの選択操作により、選択的にサイネージ表示部４００１に表示される。
【００３９】
本第２の実施形態では、サイネージ表示部４００１は大型ディスプレイであり、図８のようにコンテンツ１〜９を表示しているとする。
本第２の実施形態では、クライアント通信部３００３とサイネージ通信部４００４は無線ＬＡＮにて通信可能であるとする。ただし、通信方法はこれに限らず、例えば、Bluetooth、NFC、有線ＬＡＮ、その他の方法を用いても構わない。
【００４０】
（１)ログインステップ  
[S201]ユーザは、操作部３００２のログインボタンを押下する。
[S202]操作部３００２は、ログインボタンが押下されると、ログイン要求をクライアント通信部３００３に送信する。
[S203]クライアント通信部３００３は、操作部３００２からログイン要求を受信すると、通信ＩＤを生成する。
【００４１】
本第２の実施形態では、通信ＩＤはクライアント通信部３００３に規定されている通信用識別子であるとする。具体的にはＩＰアドレスを想定しており、ここでは「192.168.0.2」であるとする。ただし、通信ＩＤはこれに限らず、S203で示した他のＩＤでも構わない。
【００４２】
[S204]クライアント通信部３００３は、通信ＩＤを生成すると、該通信ＩＤをサイネージ通信部４００４に送信する。
[S205]サイネージ通信部４００４は、通信ＩＤを受信すると、ユーザ情報管理部４００３に該通信ＩＤを送信する。
（２)ユーザ識別情報生成ステップ  
[S206]ユーザ情報管理部４００３は、通信ＩＤを受信すると、カーソル色を決定して、図９の形式で管理するユーザ情報に該通信ＩＤと該カーソル色を関連付けて新規レコードとして追加する。カーソル色は図９のユーザ情報の全レコードの中で一意になるように決定される。予め異なる複数の色が定義されていても構わないし、何らかの方法で動的に決定しても構わない。この例では通信ID「192.168.0.2]に対して「赤」のカーソル色が決定されている。
【００４３】
カーソル位置は、サイネージ表示部４００１上における位置であり、本第２の実施形態では図６におけるコンテンツ番号で表現する。また、この例では通信ＩＤ「192.168.0.2]に対して「コンテンツ１」が位置として設定されている。ただし、位置は、サイネージ表示部４００１の左上端を原点とする座標で表現しても構わないし、他の位置表現方法を用いても構わない。
【００４４】
（３)ユーザポインタ表示ステップ  
[S207]ユーザ情報管理部４００３は、追加した新規レコードのカーソル色、カーソル位置を、サイネージ表示部４００１に送信する。
[S208]サイネージ表示部４００１は、受信したカーソル色、カーソル位置に基づいて、図１０に示すようにカーソルを表示する。
【００４５】
本第２の実施形態では、カーソルは円形であるが、他の形状をしていても構わない。
（４)ユーザ識別情報表示ステップ  
[S209]ユーザ情報管理部４００３は、S207と並行して、追加した新規レコードのカーソル色を、該レコードの通信ＩＤで特定できるクライアント部３０００のクライアント通信部３００３に送信する。
【００４６】
[S210]クライアント通信部３００３は、カーソル色を受信すると、操作部３００２にカーソル色を送信する。
[S211]操作部３００２は、カーソル色を受信すると、図１１のように、ログインボタンの表示を「ログイン中」に変更し、該ボタンの色をカーソル色で表示する。
【００４７】
本第２実施形態では、S201〜S211のステップを５人のユーザが行い、サイネージ表示部４００１の表示内容は図１２の状態、ユーザ情報管理部４００３が保持するユーザ管理情報は図１３の状態になっているとする。
（５)ポインタ操作ステップ  
[S212]各ユーザは、各自のクライアント部３０００の操作部３００２に図１１のように表示されているログイン中ボタンの色と同じ色のカーソルを、図１２のようにサイネージ表示部４００１に表示されているカーソル群の中から見つける。
【００４８】
[S213]各ユーザは、図１１の操作部３００２の上移動ボタン、下移動ボタン、左移動ボタン、右移動ボタンのうち、任意のボタンを押下する。ここでは、「右移動ボタン」を押下したとする。
[S214]操作部３００２は、上移動ボタン、下移動ボタン、左移動ボタン、右移動ボタンのいずれかが押下されると、クライアント通信部３００３に該当する方向の移動要求を送信する。
【００４９】
[S215]クライアント通信部３００３は、各方向の移動要求を受信すると、該方向の移動要求とS203で生成した通信ＩＤを関連付けてサイネージ通信部４００４に送信する。ここでは、通信ＩＤは「192.168.0.2」であるとする。
[S216]サイネージ通信部４００４は、各方向の移動要求と通信ＩＤを受信すると、ユーザ情報管理部４００３に該方向の移動要求と該通信ＩＤを送信する。
【００５０】
[S217]ユーザ情報管理部４００３は、各方向の移動要求と通信ＩＤを受信すると、図１３の形式で保持しているユーザ情報群から、該通信ＩＤに一致するレコードを特定する。
[S218]ユーザ情報管理部４００３は、特定したレコードからカーソル色を取得する。ここでは、図１３より、通信ＩＤが「192.168.0.2」に対応するカーソル色は「赤」である。
【００５１】
[S219]ユーザ情報管理部４００３は、取得したカーソル色のカーソルを、サイネージ表示部４００１上において、S217にて受信した移動要求の方向に動かし、ユーザ管理情報のカーソル位置を更新する。ここでは、カーソル色が「赤」のカーソルを「右」に動かすので、サイネージ表示部４００１は図１２の状態から図１４の状態になり、ユーザ管理情報は図１３の状態から図１５の状態になる。例えば、S212〜S219のステップを５人のユーザが行うと、サイネージ表示部４００１の表示内容は図１６の状態、ユーザ情報管理部４００３が保持するユーザ管理情報は図１７の状態になりうる。
【００５２】
（６)画面遷移ステップ  
[S220]ユーザ情報管理部４００３は、カーソル位置を更新すると、図１８の形式でコンテンツ番号と詳細コンテンツを格納するコンテンツＤＢ４００２に、問い合わせを行い、該コンテンツ番号に該当する詳細コンテンツを取得する。
【００５３】
本第２の実施形態では詳細コンテンツはＵＲＬであるが、詳細コンテンツはテキスト、画像、映像、その他、どのようなコンテンツでも構わない。
[S221]ユーザ情報管理部４００３は、詳細コンテンツを取得すると、該詳細コンテンツとS217で受信した通信ＩＤを関連付けてサイネージ通信部４００４に送信する。
【００５４】
[S222]サイネージ通信部４００４は、詳細コンテンツと通信ＩＤを受信すると、該通信ＩＤで特定できるクライアント部３０００のクライアント通信部３００３に、該詳細コンテンツを送信する。
[S223]クライアント通信部３００３は、詳細コンテンツを受信すると、クライアント表示部３００１に該詳細コンテンツを表示する。本第２の実施形態では、詳細コンテンツはURLであるので、URLで指定されたコンテンツを取得してクライアント表示部３００１に表示する。
【００５５】
なお、操作部３００２がコンテンツ取得ボタンを有しており、ユーザがコンテンツ取得ボタンを押下した場合のみ、S220〜S223が行われても構わない。
上記処理により、デジタルサイネージから同時に複数ユーザが、詳細コンテンツの取得（画面遷移）を行え、その画面遷移が他ユーザに知られることもない。
【００５６】
また、各ユーザはデジタルサイネージ上でカーソルが密集しているコンテンツを視認でき、どのコンテンツが注目を集めているか判断することもできる。例えば、サイネージ表示部４００１が図１６の状態であれば、コンテンツ６が注目を集めていることを各ユーザが判断できる。
【００５７】
なお、本第２の実施形態では、各ユーザがカーソルを識別するためのカーソル属性として色を採用したが、形状、テクスチャ、動き等、人間が識別可能な特徴であればどのようなものを、カーソルを識別するためのカーソル属性として用いても構わない。
以上のように上記第２の実施形態では、デジタルサイネージ部４０００は、端末識別情報を用いてクライアント部３０００を識別し、サイネージ表示部４００１にクライアント部３０００を識別可能なカーソルを表示する機能を備えるようにしているので、クライアント部３０００のユーザに、サイネージ表示部４００１に表示されるコンテンツの選択操作を視認させることができるようになる。また、デジタルサイネージ部４０００上において、誰がどのコンテンツに興味を持っているか匿名性を保持しながら表示できる。さらに、デジタルサイネージ部４０００上において、カーソルが集中しているコンテンツに対し、他のユーザの注目を集めることもできる。
【００５８】
また、上記第２の実施形態では、デジタルサイネージ部４０００は、色、形状、テクスチャ、動きの少なくとも１つにより識別可能なカーソルを表示するようにしているので、クライアント部３０００のユーザは、デジタルサイネージ部４０００上の見やすい表示画面により、コンテンツの選択操作を視認できるようになる。
【００５９】
（その他の実施形態）  
上記第１及び第２の実施形態で説明したコンテンツ表示制御システムは、クライアント部により、デジタルサイネージ部のサイネージ表示部に表示される複数のコンテンツの中から任意のコンテンツを取得する例について説明したが、これに限ることなく、例えば、操作用の第１の装置と、デジタルサイネージ部以外のカーソルを表示する第２の装置とであってもよい。この場合、カーソルを表示する第２の装置に表示されたコンテンツの関連情報が、第１の装置に表示されることになる。ここでは、第２の装置は例えばパーソナル・コンピュータであり、第１の装置は例えば携帯端末であってもよい。さらに、第２の装置は例えばテレビジョン受像機であり、第１の装置は例えば表示器付きのテレビジョンコントローラまたは携帯端末であってもよい。
【００６０】
このようなコンテンツ表示制御システムは、操作者が第１の装置を用いてコンテンツを選択する操作を行うと、第２の装置は画面上のカーソルを制御し、カーソルの位置に対応する第２の装置の画面上に表示されたコンテンツの関連情報を、第１の装置の画面上に表示する機能を有する。この場合、カーソル位置にあるコンテンツの関連情報を自動的に第１の装置の画面上に表示する。
【００６１】
したがって、例えば手元の操作しやすい第１の装置を用いて第２の装置に表示されている任意のコンテンツへカーソルを移動させる操作を行うことができ、移動したカーソル位置に対応する関連情報を第１の装置に表示でき、使い勝手がよくなる。また、コンテンツ表示制御システムは、クリック操作やタップ操作等といった第１の装置が受け付けた操作者の操作を契機として、第２の装置の画面上のカーソルの位置に対応するコンテンツの関連情報を、第１の装置の画面上に表示するようにしてもよい。このようにすれば、操作者が自身でカーソル位置にあるコンテンツの関連情報が必要か否かを判断して指示することができ、これにより真に必要な関連情報のみを取得することが可能となる。
【００６２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００６３】
１０００，３０００…クライアント部、１００１，３００１…クライアント表示部、１００２，３００２…操作部、１００３，３００３…クライアント通信部、２０００，４０００…デジタルサイネージ部、２００１，４００１…サイネージ表示部、２００２，４００２…コンテンツＤＢ、２００３，４００４…サイネージ通信部、４００３…ユーザ情報管理部。
【図１】
2014238718.tif 000003
【図２】
2014238718.tif 000004
【図３】
2014238718.tif 000005
【図４】
2014238718.tif 000006
【図５】
2014238718.tif 000007
【図６】
2014238718.tif 000008
【図７】
2014238718.tif 000009
【図８】
2014238718.tif 000010
【図９】
2014238718.tif 000011
【図１０】
2014238718.tif 000012
【図１１】
2014238718.tif 000013
【図１２】
2014238718.tif 000014
【図１３】
2014238718.tif 000015
【図１４】
2014238718.tif 000016
【図１５】
2014238718.tif 000017
【図１６】
2014238718.tif 000018
【図１７】
2014238718.tif 000019
【図１８】
2014238718.tif 000020